(57)【特許請求の範囲】
【請求項１】
棒状アンテナに取付けられ、電柱等の支柱の対応する位置に設けられた支柱側取付け金具に連結されるアンテナ取付け金具であって、
ボルトにより前記支柱側取付け金具に連結される平板部と、
前記平板部の左右両端部から起立しそれぞれ形成された左右両側の起立側面部と、
左右両側の前記起立側面部それぞれから取り付けるべき前記棒状アンテナの外周面に対し垂直方向に折り曲げて設けられ、前記平板部の後端より前記棒状アンテナの外周面に対し垂直方向に突出して伸びる折曲がり部と、
前記折曲がり部それぞれから外側にほぼ直角に折り曲げて設けられ、前記棒状アンテナの側面に取付けられるフランジ部と、
を有するアンテナ取付け金具。
【請求項２】
請求項１記載のアンテナ取付け金具において、
左右両側の前記起立側面部には、それぞれ、
断面コの字型の中間金具の両側面部と連結するための中間金具連結ボルト孔が形成されている、アンテナ取付け金具。
【発明の詳細な説明】
【技術分野】
【０００１】
本発明は、アンテナに取付けられるアンテナ取付け金具に関する。
【背景技術】
【０００２】
従来のアンテナ取付け金具として、例えば、アンテナの上下２箇所にそれぞれ設けられ、電柱等の支柱に取り付けるようにしたものがある（例えば、特許文献１参照。）。
【先行技術文献】
【特許文献】
【０００３】
【特許文献１】特開２００８−８５９１３号公報
【発明の概要】
【発明が解決しようとする課題】
【０００４】
しかし、上記アンテナ取付け金具では、中空状の支持金具や環状の中間金具等によりアンテナを支持しているため、部品点数が増える、という課題があった。
【０００５】
そこで、本発明は、部品点数を増やさずに簡単にアンテナを取り付けることができるアンテナ取付け金具を提供することを目的とする。
【課題を解決するための手段】
【０００６】
上記課題を解決するため、本発明のアンテナ取付け金具は、棒状アンテナに取付けられ、電柱等の支柱の対応する位置に設けられた支柱側取付け金具に連結されるアンテナ取付け金具であって、ボルトにより前記支柱側取付け金具に連結される平板部と、前記平板部の左右両端部から起立しそれぞれ形成された左右両側の起立側面部と、左右両側の前記起立側面部それぞれから取り付けるべき前記棒状アンテナの外周面に対し垂直方向に折り曲げて設けられ、前記平板部の後端より前記棒状アンテナの外周面に対し垂直方向に突出して伸びる折曲がり部と、前記折曲がり部それぞれから外側にほぼ直角に折り曲げて設けられ、前記棒状アンテナの側面に取付けられるフランジ部と、を有するアンテナ取付け金具である。
ここで、前記アンテナ取付け金具において、左右両側の前記起立側面部には、それぞれ、断面コの字型の中間金具の両側面部と連結するための中間金具連結ボルト孔が形成されている、ようにしても良い。
【発明の効果】
【０００７】
本発明のアンテナ取付け金具は、ボルトにより前記支柱側取付け金具に連結される平板部と、前記平板部の左右両端部から起立しそれぞれ形成された左右両側の起立側面部と、左右両側の前記起立側面部それぞれから取り付けるべき棒状アンテナの外周面に対し垂直方向に折り曲げて設けられ、平板部の後端より棒状アンテナの外周面に対し垂直方向に突出して伸びる折曲がり部と、折曲がり部それぞれから外側にほぼ直角に折り曲げて設けられ、棒状アンテナの側面に取付けられるフランジ部と、を有するので、部品点数を増やさずに簡単にアンテナを取り付けることができると共に、このような棒状アンテナの外周面に対し垂直方向に折り曲げられた折曲がり部は棒状アンテナの中心方向に向かうことになりフランジ部に対し直交するので、このような折曲がり部を設けない場合よりも強度が向上する。
【図面の簡単な説明】
【０００８】
【図１】本発明のアンテナ取付け金具の実施形態１の概観を示す斜視図である。
【図２】（ａ）,（ｂ）それぞれ、本発明のアンテナ取付け金具の実施形態１の平面図、底面図である。
【図３】（ａ）,（ｂ）それぞれ、本発明のアンテナ取付け金具の実施形態１の正面図、背面図である。
【図４】（ａ）,（ｂ）それぞれ、本発明のアンテナ取付け金具の実施形態１の左側面図、右側面図である。
【図５】（ａ）,（ｂ）それぞれ、支柱側取付け金具の概観を示す斜視図、支柱側取付け金具と本発明のアンテナ取付け金具の実施形態１との接続（連結）例１を示す斜視図である。
【図６】（ａ）,（ｂ）それぞれ、支柱側取付け金具の上面におけるひょうたん型の支点ボルト孔の小径孔と大径孔とを使用した場合の支点ボルトと角度設定ボルトの位置を示す図である。
【図７】本実施形態１のアンテナ取付け金具１と支柱側取付け金具２との接続（連結）例１を、アンテナ１および支柱４を含め上方から見た場合の上面図である。
【図８】本実施形態１のアンテナ取付け金具１と支柱側取付け金具２との接続（連結）例１を、アンテナ１および支柱４を含め側方から見た場合の側面図である。
【図９】（ａ）,（ｂ）それぞれ、本実施形態１のアンテナ取付け金具１を、支柱側取付け金具２に対し、±６０°の角度を設定したときの連結例を示す図である。
【図１０】本実施形態１のアンテナ取付け金具１を、支柱側取付け金具２に対し、―６０°以上の角度を設定したときの連結例を示す図である。
【図１１】実施の形態１のアンテナ取付け金具１と、支柱側取付け金具２との間に、中間金具として基部金具と調整部金具を使用した実施の形態２の使用例を示す斜視図である。
【図１２】実施の形態２の使用例をアンテナ１および支柱４まで含めて示す斜視図である。
【図１３】（ａ）〜（ｄ）それぞれ、基部金具の斜視図、平面図、正面図、右側面図である。
【図１４】（ａ）〜（ｄ）それぞれ、調整部金具の斜視図、平面図、正面図、右側面図である。
【図１５】（ａ）〜（ｅ）それぞれ、基部金具と調整部金具とを下側の金具として使用した際に仰角を設定する場合の基部金具と調整部金具の連結状態を示す図である。
【図１６】（ａ）〜（ｅ）それぞれ、基部金具と調整部金具とを上側の金具として使用した際に仰角を設定する場合の基部金具と調整部金具の連結状態を示す図である。
【発明を実施するための形態】
【０００９】
本発明にかかるアンテナ取付け金具は、例えば、ポール(棒)状または長尺状のアンテナに取付けられるもので、電柱等の支柱の対応する位置に設けられた支柱側取付け金具に、支点ボルトと角度設定ボルトとを少なくとも含む２本以上のボルトにより連結される。以下、本発明にかかるアンテナ取付け金具の実施形態１について説明する。
【００１０】
図１は、本発明のアンテナ取付け金具の実施形態１の概観を示す斜視図、図２（ａ），（ｂ）はそれぞれその平面図、底面図、図３（ａ）,（ｂ）はそれぞれその正面図、背面図、図４（ａ）,（ｂ）はそれぞれその左側面図、右側面図である。
【００１１】
図１〜図４において、本実施形態１のアンテナ取付け金具１は、ポール(棒)状または長尺状のアンテナ３に取付けられるもので、アンテナ３の上下２箇所にそれぞれ設けられる。そして、後述の図５に示すように、電柱等の支柱（図示せず）の対応する位置に設けられた支柱側取付け金具２に、支点ボルト４１と、角度設定ボルト４２とにより連結される。
【００１２】
本実施形態１のアンテナ取付け金具１の構造は、図１〜図４に示すように、支点ボルト４１が挿入される支点ボルト孔１１ａと、支点ボルト孔１１ａを中心とした所定半径の円周上に所定間隔、例えば、２０°ずつ空けて形成され、角度設定ボルト４２が挿入される複数の角度設定ボルト孔１１ｂ〜１１ｈとが形成された平板部１１と、平板部１１の左右両端部から起立しそれぞれ形成された左右両側の起立側面部１２，１３と、左右両側の起立側面部１２，１３にそれぞれ連続して設けられ、平板部１１の後端より後方側に突出して伸び、アンテナ３に取付けられるフランジ部１４，１５と、を有する。
【００１３】
そして、本実施の形態のアンテナ取付け金具１では、左右それぞれ両側に、起立側面部１２，１３と、フランジ部１４，１５との間に、内側に折曲がる折曲がり部１６，１７が形成されている。ここで、本実施の形態のアンテナ取付け金具１では、左右それぞれの折曲がり部１６，１７と、フランジ部１４，１５とは、ほぼ直角を成している。これにより、フランジ部１４，１５をアンテナ１に取付けた場合には、折曲がり部１６，１７は、アンテナ１の外周面に対し垂直に向かうことになり、折曲がり部１６，１７を設けない場合より、強度が向上する。また、折曲がり部１６，１７により、平面部１１とアンテナ３との間に、開口部１８が形成される。
【００１４】
また、平板部１１の両端部における起立側面部１２，１３の先端基部には、起立側面部１２，１３を起立させる際の当該先端基部における平板部１１の割れ等を防止するため、凹部１１ｉ，１１ｊが形成されている。
【００１５】
そして、本実施形態１では、さらに、平板部１１には、複数の角度設定ボルト孔１１ｂ〜１１ｈのうち少なくとも０°の角度に設けられた角度設定ボルト孔１１ｅと、支点ボルト孔１１ａとの間に、アンテナ取付け金具１を金属板等から切り出したり、切り出した金属板に支点ボルト孔１１ａや角度設定ボルト孔１１ｂ〜１１ｈ等のボルト孔などを形成する際の基準や、他の支柱側取付け金具（図示せず）と連結するための位置決め孔１１ｋが形成されている。なお、位置決め孔１１ｋは、本発明および実施形態１に必須なものではなく、省略しても勿論よい。
【００１６】
また、本実施形態１では、さらに、左右両側の起立側面部１２，１３それぞれの２箇所に、実施の形態２にて説明する中間金具の一つである調整部金具８（後述の実施の形態２の図１１等を参照。）と連結するための中間金具連結ボルト孔１２ａ，１２ｂ，１３ａ，１３ｂが設けられている。なお、実施の形態１では、この中間金具連結ボルト孔１２ａ，１２ｂ，１３ａ，１３ｂは、実施の形態１では省略しても良いが、後述する実施の形態２のように、アンテナ取付け金具１と支柱側取付け金具２との間に中間金具としてアンテナの仰角および水平角の調整機能を有する調整部金具８および基部金具９を接続する場合に、必要とするものである。
【００１７】
ここで、上側の中間金具連結ボルト孔１２ａ，１３ａは、円形状の通し孔としているが、下側の中間金具連結ボルト孔１２ｂ，１３ｂは、四角い形状の通し孔としている。
【００１８】
また、フランジ部１４，１５には、それぞれ、アンテナ３の外周面に形成されたネジ溝の形成されたボルト孔３１，３２に対応する位置に、取付けボルト孔１４ａ，１４ｂ，１５ａ，１５ｂが形成されている。
【００１９】
次に、アンテナ３側の本実施形態１のアンテナ取付け金具１と、電柱等の支柱４側の支柱側取付け金具２との接続（連結）例について説明する。
【００２０】
図５（ａ）,（ｂ）は、それぞれ、本実施形態１のアンテナ取付け金具１が連結される支柱側取付け金具２の概観を示す斜視図、アンテナ取付け金具１と支柱側取付け金具２との接続（連結）例１を示す斜視図、図６（ａ）,（ｂ）は、それぞれ、支柱側取付け金具２の上面２１におけるひょうたん型の支点ボルト孔２１ａの小径孔２１ａ１と大径孔２１ａ２とを使用した場合の支点ボルト４１と角度設定ボルト４２の位置を示す図、図７は、本実施形態１のアンテナ取付け金具１と支柱側取付け金具２との接続（連結）例１を、アンテナ１および支柱４を含め上方から見た場合の上面図、図８は、本実施形態１のアンテナ取付け金具１と支柱側取付け金具２との接続（連結）例１を、アンテナ１および支柱４を含め側方から見た場合の側面図である。
【００２１】
まず、図５（ａ）、図６（ａ）,（ｂ）に示すように、支柱側取付け金具２の上面２１には、まず、アンテナ取付け金具１の平板部１１の支点ボルト孔１１ａに対応する位置に、支点ボルト４１がずれて２箇所位置する大径孔２１ａ１と小径孔２１ａ２とを有するひょうたん型の支点ボルト孔２１ａが形成されている。
【００２２】
また、図５（ａ）、図６（ａ）,（ｂ）に示すように、支柱側取付け金具２の上面２１における、アンテナ取付け金具１の平板部１１の０°の角度に設けられた角度設定ボルト孔１１ｅに対応する位置を中心に、ひょうたん型の支点ボルト孔２１ａの大径孔２ａ１を中心とした円周上に１０°ずつずらした３つの３連ボルト孔２１ｂ（図６（ａ）参照。）と、ひょうたん型の支点ボルト孔２１ａの大径孔２ａ１と小径孔２１ａ２の両方を中心とした円周上に角度設定ボルト４２が納まる長ボルト孔２１ｃ，２１ｄが形成されている（図６（ａ）,（ｂ）参照。）。
【００２３】
また、図５（ａ）,（ｂ）に示すように、支柱側取付け金具２の側面２２には、支柱４の外周面を挟む支柱挟持金具５，６（図７参照）にボルト７により接続されるボルト挿通孔２２ａ，２２ｂが形成されている。
【００２４】
そして、本実施形態１のアンテナ取付け金具１は、図８に示すように、アンテナ３の上下２箇所にそれぞれ設けられ、電柱等の支柱４の対応する位置に取付けられた支柱側取付け金具２に、支点ボルト４１と、角度設定ボルト４２とを少なくとも含む２本以上のボルトにより連結される。
【００２５】
図９（ａ）,（ｂ）は、それぞれ、本実施形態１のアンテナ取付け金具１を、支柱側取付け金具２に対し、±６０°の角度を設定したときの連結例を示す図、図１０は、本実施形態１のアンテナ取付け金具１を、支柱側取付け金具２に対し、−６０°以上の角度を設定したときの連結例を示す図である。
【００２６】
具体的には、図９（ａ）,（ｂ）では、支柱側取付け金具２の上面２１におけるひょうたん型の支点ボルト孔２１ａの大径孔２１ａ２に支点ボルト４１を挿入して±６０°の角度を設定して連結する一方、図１０では、ひょうたん型の支点ボルト孔２１ａの小径孔２１ａ１に支点ボルト４１を挿入して、約−６８°の角度を設定して連結している。そして、図９（ａ）,（ｂ）では、３連ボルト孔２１ｂに角度設定ボルト４２を通す一方、図１０では、長ボルト孔２１ｃに角度設定ボルト４２を通している。
【００２７】
従って、本実施の形態１のアンテナ取付け金具１は、少なくとも、支点ボルト４１および角度設定ボルト４２により支柱側取付け金具２に連結される平板部１１と、平板部１１の左右両端部から起立しそれぞれ形成された左右両側の起立側面部１２，１３と、左右両側の起立側面部１２，１３にそれぞれ連続して設けられ、平板部１１の後端より後方側に突出して伸び、アンテナ３側面に面接触しボルトによりアンテナ３に取付けられるフランジ部１４，１５と、を有するので、部品点数を増やさずに簡単にアンテナを取り付けることができる。
【００２８】
実施の形態２．
実施の形態２では、実施の形態１のアンテナ取付け金具１と、支柱側取付け金具２との間に、中間金具としてアンテナの仰角および水平角の調整機能を有する断面コの字型の調整部金具８および基部金具９を使用した使用例２を示している。
【００２９】
図１１は、実施の形態１のアンテナ取付け金具１と、支柱側取付け金具２との間に調整部金具８および基部金具９を使用した実施の形態２の使用例を示す斜視図、図１２は、実施の形態２の使用例２をアンテナ１および支柱４まで含めて示す斜視図である。
【００３０】
図１１、図１２に示すように、本実施の形態２では、実施の形態１のアンテナ取付け金具１と、支柱側取付け金具２との間に、中間金具としてアンテナの仰角および水平角の調整機能を有する調整部金具８および基部金具９を使用して、アンテナ３を支柱４に対し所定の仰角および水平角を設定して取り付けることができる。
【００３１】
図１３（ａ）〜（ｄ）は、それぞれ、基部金具９の斜視図、平面図、正面図、右側面図である。
【００３２】
図１３から明らかなように、基部金具９は、断面コの字型の金具であり、底面９１と、両側面９２ａ，９２ｂとを有している。
【００３３】
基部金具９の底面９１には、図１３（ａ），（ｂ）に示すように、支柱４側の取付け金具２に任意の方位角で取り付けるため、支柱４側の取付け金具２先端とボルト締めされる回転中心孔９１１と、回転中心孔９１１を中心とする所定半径上に支柱４に対する方位角を、例えば、２０°ずつ調整するための方位角調整孔９１２ａ〜９１２ｇが７個形成されている。なお、方位角調整孔９１２ａ〜９１２ｇの２０°刻みや、７個はあくまで一例である。
【００３４】
また、基部金具９の底面９１には、図１３（ａ），（ｂ）に示すように、後述する脱落防止ボルト８２１が挿通される脱落防止用大長孔９１３が形成されている。
【００３５】
また、基部金具９の両側面９２ａ，９２ｂには、図１３（ａ），（ｃ）に示すように、調整部金具８とボルトにより連結するための連結ボルト孔９２ａ１，９２ｂ１が形成されている。なお、この角度設定ボルト孔９２ａ１，９２ｂ１は、後述すように、基部金具９が下側金具Ｄとして使用した際、および上側金具Ｕとして使用した際も、角度設定ボルト孔９２ａ１，９２ｂ１が回転中心となる。なお、調整部金具８と連結するためのボルトは、ネジ溝が切られていないピン等でもあっても良い。
【００３６】
図１４（ａ）〜（ｄ）は、それぞれ、調整部金具８の斜視図、平面図、正面図、右側面図である。
【００３７】
図１４から明らかなように、調整部金具８は、基部金具９と同様に、断面コの字型の金具であり、底面８１と、両側面８２ａ，８２ｂとを有している。
【００３８】
調整部金具８の底面８１には、図１４（ａ），（ｂ）に示すように、基部金具９の脱落防止用大長孔９１３と出合い、脱落防止ボルト８２１が挿通される脱落防止用小長孔８１１と、重量を軽くするための開口部８１２が形成されている。なお、開口部８１２は、省略しても良いし、複数設けるようにしても、長方形状でなくても良い。
【００３９】
また、調整部金具８の両側面８２ａ，８２ｂの後端には、図１４（ａ），（ｃ）に示すように、アンテナ３側に設けられたアンテナ取付け金具１と連結するためのアンテナ側連結ボルト孔８２ａ１，８２ａ２、８２ｂ１，８２ｂ２が２個ずつ上下に形成されている。
【００４０】
そして、調整部金具８の両側面８２ａ，８２ｂの先端から中央には、図１４（ａ），（ｃ）に示すように、図１１に示すように、上下の取付け間隔をほぼ半径とする円周上の所定角度ずつずらした位置に、下側金具用の複数の角度設定ボルト孔を１度ずつずらして５度まで並べて下側金具用角度設定ボルト孔列８２ａ１０，８２ｂ１０と、上側金具用の複数の角度設定ボルト孔を１度ずつずらして５度まで並べた上側金具用角度設定ボルト孔列８２ａ２０，８２ｂ２０が形成されている。
【００４１】
ただし、本実施形態２の場合、図１４（ａ），（ｃ）に示すように、下側金具用角度設定ボルト孔列８２ａ１０，８２ｂ１０と、上側金具用角度設定ボルト孔列８２ａ２０，８２ｂ２０とは、基準とする０度の角度設定ボルト孔８２ａ３，８２ｂ３は共通としているので、下側金具用角度設定ボルト孔列８２ａ１０，８２ｂ１０と、上側金具用角度設定ボルト孔列８２ａ２０，８２ｂ２０とは、重なって、すなわち繋がって一体で形成された複数の角度設定ボルト孔８２ａ３〜２２ａ８，８２ｂ３〜２２ｂ８より構成されている。
【００４２】
つまり、本実施形態２では、調整部金具８の右側面１２ｂには、図１４（ａ），（ｃ）に示すように、下側金具用角度設定ボルト孔列８２ｂ１０および上側金具用角度設定ボルト孔列８２ｂ２０の双方として機能する±５度調整用の複数の角度設定ボルト孔８２ｂ３〜８２ｂ８が形成されている一方、左側面１２ａには、図１４（ａ）に示すように、下側金具用角度設定ボルト孔列８２ａ１０および上側金具用角度設定ボルト孔列８２ａ２０の双方として機能する±５度調整用の複数の角度設定ボルト孔８２ａ３〜８２ａ８が形成されている。
【００４３】
図１５（ａ）〜（ｅ）は、それぞれ、調整部金具８と基部金具９とを下側の金具として使用した際に仰角を設定する場合の調整部金具８と基部金具９の連結状態を示す図である。なお、図１５および図１６では、アンテナ取付け金具１および支柱側取付け金具２の図示を省略している。
【００４４】
具体的には、図１５（ａ）は−１度で角度設定ボルト孔８２ｂ４を使用しており、図１５（ｂ）は−２度で角度設定ボルト孔８２ｂ５を使用し、図１５（ｃ）は−３度で角度設定ボルト孔８２ｂ６を使用し、図１５（ｄ）は−４度で角度設定ボルト孔８２ｂ７を使用し、図１５（ｅ）は−５度で角度設定ボルト孔８２ｂ８を使用することにより、−１度〜―５度の１度刻みの仰角を設定している。
【００４５】
つまり、調整部金具８と基部金具９を上側の金具として使用する場合、図１５に示すように、角度設定ボルト孔８２ｂ３〜８２ｂ８の上側を利用した下側金具用角度設定ボルト孔列８２ｂ１０を使用することになる。
【００４６】
図１６（ａ）〜（ｅ）は、それぞれ、調整部金具８と基部金具９とを上側の金具として使用した際に仰角を設定する場合の調整部金具８と基部金具９の連結状態を示す図である。
【００４７】
具体的には、図１６（ａ）は＋１度で角度設定ボルト孔８２ｂ４を使用しており、図１６（ｂ）は＋２度で角度設定ボルト孔８２ｂ５を使用し、図１６（ｃ）は＋３度で角度設定ボルト孔８２ｂ６を使用し、図１６（ｄ）は＋４度で角度設定ボルト孔８２ｂ７を使用し、図１６（ｅ）で角度設定ボルト孔８２ｂ８を使用することにより、＋１度〜＋５度の１度刻みの仰角を設定している。
【００４８】
つまり、調整部金具８と基部金具９を上側の金具として使用する場合、図１６に示すように、角度設定ボルト孔８２ｂ３〜８２ｂ８の下側を利用した上側金具用角度設定ボルト孔列８２ｂ２０を使用することになる。
【００４９】
従って、本実施の形態２では、上記実施の形態１のアンテナ取付け金具１を利用しているので、上記実施の形態１と同様に、部品点数を増やさずに簡単にアンテナを取り付けることができる。
【００５０】
また、本実施の形態２では、アンテナ取付け金具１の左右両側の起立側面部１２，１３それぞれに、中間金具である調整部金具８を連結するための中間金具連結ボルト孔１２ａ，１２ｂ，１３ａ，１３ｂを設け、アンテナ取付け金具１と支柱側取付け金具２との間に、アンテナ３の仰角および水平角の調整機能を有する中間金具としてアンテナの仰角および水平角の調整機能を有する調整部金具８および基部金具９を接続するようにしたので、実施の形態１のようにアンテナ取付け金具１に直接、支柱側取付け金具２を取り付けることができるだけでなく、中間金具である調整部金具８および基部金具９を介して支柱側取付け金具２を取り付けることにより、アンテナ３の仰角も調整することができる。
【００５１】
なお、前記実施の形態１，２では、本発明にかかるアンテナ取付け金具１を、アンテナ３の上下２箇所に設けて説明したが、本発明では、これに限らず、アンテナ３の長さや重量等に応じて、アンテナ３の長手方向上下３箇所や、４箇所などアンテナ３の上下複数箇所にそれぞれ設けたり、さらには別のアンテナ取付け金具と組み合わせ使用して、他の箇所に１箇所だけ設けるようにしても勿論よい。
【符号の説明】
【００５２】
１  アンテナ取付け金具
１１  平面部
１１ａ  支点ボルト孔
１１ｂ〜１１ｈ  角度設定ボルト孔
１２，１３  起立側面部
１４，１５  フランジ部
１６，１７  折り曲げ部
２  支柱側取付け金具
３  アンテナ
４  支柱
８  調整部金具（中間金具）
９  基部金具（中間金具）
【図１】
0005393611.tif 000002
【図２】
0005393611.tif 000003
【図３】
0005393611.tif 000004
【図４】
0005393611.tif 000005
【図５】
0005393611.tif 000006
【図６】
0005393611.tif 000007
【図７】
0005393611.tif 000008
【図８】
0005393611.tif 000009
【図９】
0005393611.tif 000010
【図１０】
0005393611.tif 000011
【図１１】
0005393611.tif 000012
【図１２】
0005393611.tif 000013
【図１３】
0005393611.tif 000014
【図１４】
0005393611.tif 000015
【図１５】
0005393611.tif 000016
【図１６】
0005393611.tif 000017